(57)【要約】【課題】緑化用コンクリートブロックの配設など結束対象物同士の間隙が狭い場合であっても、あるいは、地面に段差がある場合であっても、施工作業の効率化を図ることができるとともに、確実に結束することができる結束具及び留め具の提供。【解決手段】中空部を有する長円形のチェーンリンクを連結してなるリンクチェーンと留め具とからなり、留め具は、開いた環状の胴部と、胴部の両自由端にそれぞれ突出形成された二つの抜け止め部とを備え、胴部は、チェーンリンクの中空部に挿通自在な太さに形成され、二つの抜け止め部は、平板状であって板面が互いに平行になると共に、各抜け止め部の板厚は、チェーンリンクの中空部内を挿通可能な厚さに形成され、抜け止め部の基端は板幅が、チェーンリンクの中空部の幅より十分大きく、かつ、チェーンリンクの中空部の長さからチェーンリンクの太さを減じた長さより小さく形成されている。【選択図】　　　図１
2004116134.tif 000002
【特許請求の範囲】
【請求項１】
中空部を有する長円形のチェーンリンクを連結してなるリンクチェーンの一端部のチェーンリンクを他のチェーンリンクに挿通した状態で抜け止めをする留め具であって、
留め具は、開いた環状の胴部と、胴部の両自由端にそれぞれ突出形成された二つの抜け止め部とを備え、
胴部は、チェーンリンクの中空部に挿通自在な太さに形成され、
二つの抜け止め部は、平板状であって板面が互いに平行になると共に、各抜け止め部の板厚は、チェーンリンクの中空部内を挿通可能な厚さに形成され、抜け止め部の基端は板幅が、チェーンリンクの中空部の幅より十分大きく、かつ、チェーンリンクの中空部の長さからチェーンリンクの太さを減じた長さより小さく形成されてなることを特徴とするリンクチェーン用留め具。
【請求項２】
中空部を有する長円形のチェーンリンクを連結してなるリンクチェーンと留め具とからなる結束具であって、
留め具は、開いた環状の胴部と、胴部の両自由端にそれぞれ突出形成された二つの抜け止め部とを備え、
胴部は、チェーンリンクの中空部に挿通自在な太さに形成され、
二つの抜け止め部は、平板状であって板面が互いに平行になると共に、各抜け止め部の板厚は、チェーンリンクの中空部内を挿通可能な厚さに形成され、抜け止め部の基端は板幅が、チェーンリンクの中空部の幅より十分大きく、かつ、チェーンリンクの中空部の長さからチェーンリンクの太さを減じた長さより小さく形成されていることにより結束されることを特徴とする結束具。
【発明の詳細な説明】
【０００１】
【発明の属する技術分野】
本発明は、チェーンリンクの一つをリンクチェーンの他のチェーンリンクの中空部に挿通して両チェーンリンクを抜け止めする留め具、及びこの留め具とリンクチェーンとからなる結束具に関するものであり、結束対象物に設けられたフック部を利用して、結束対象物を容易かつ確実に結束することのできる結束具及び留め具に関するものである。より詳細には、緑化用コンクリートブロックの結束において作業性に優れた結束具及び留め具に関する。
【０００２】
【従来の技術】
一般に、緑化用コンクリートブロックは、高速道路の両側、河岸、公園の周囲などにおいて、地面の保護、美観の確保の観点から用いられている。このような緑化用コンクリートブロックの施工においては、図７に示すように、矩形で一定の大きさのブロック片４を多数配設することによって施工される。施工作業では、多数のブロック片を配設したのち、ブロック片同士を結束して固定する。この結束作業においては、ブロック片の四隅に突設されている環状のフック部により所定の結束具を用いて固定する。
【０００３】
ブロック片の固定のための結束具としては、図８に示すものが知られている。図８は、図７のＡ部を拡大したものであって、ブロック片４の角部において、従来の緑化用コンクリートブロックの結束具の使用状態の一例を示すものである。この結束具は、半円弧状の二枚の結束板６をフック部５に挿通し、向かい合わせにし、両端をそれぞれ重ね合わせたもので、重なり部分６１、６２をそれぞれ溶接することによって固定するものである。
また、別の従来の結束具としては、例えば、特許文献１（第８図）のようなものが知られている。これは、先端部と後端部にボルト貫通孔を有する金属製のリング体であって、常態では、先端部と後端部とは離隔して形成されており、これをブロックのフック部に挿入した後、前記先端部側のボルト貫通孔にボルトを通し、後端部側のネジ穴に螺合し、先端部と後端部を引き寄せ、結合するものである。
【０００４】
【特許文献１】
特開平０７−１１２７５６号公報（第８図）
【０００５】
【発明が解決しようとする課題】
しかしながら、図８に示す構成の結束具では、四つブロック片のフック部５が相互に対向している部分は間隔が狭いことから、二つの結束板を間隔の狭い状態で保持しつつ、一個ずつ溶接することは極めて煩雑な作業を伴うことになる。
一方、特許文献１の第８図に示す構成の結束具では、配設される地表面に凹凸が存在した場合、ブロックを配設した結果ブロック間に段差が生じ、フック部が上下にずれてフック部の空部が一列に円環上に並ばないことがあるが、このような場合には、金属製の結束具をフック部に挿通することが困難になり、ボルトで螺合することができず、ブロックの結束作業の能率が低下することがあった。
このような実情に鑑み、本発明の目的は、緑化用コンクリートブロックの配設など結束対象物同士の間隙が狭い場合であっても、あるいは、地面に段差がある場合であっても、施工作業の効率化を図ることができるとともに、確実に結束することができる結束具及び留め具を提供しようとするものである。
【０００６】
【課題を解決するための手段】
上記目的を達成するために、本発明は、中空部を有する長円形のチェーンリンクを連結してなるリンクチェーンの一端部のチェーンリンクを他のチェーンリンクに挿通した状態で抜け止めをする留め具であって、留め具は、開いた環状の胴部と、胴部の両自由端にそれぞれ突出形成された二つの抜け止め部とを備え、胴部は、チェーンリンクの中空部に挿通自在な太さに形成され、二つの抜け止め部は、平板状であって板面が互いに平行になると共に、各抜け止め部の板厚は、チェーンリンクの中空部内を挿通可能な厚さに形成され、抜け止め部の基端は板幅が、チェーンリンクの中空部の幅より十分大きく、かつ、チェーンリンクの中空部の長さからチェーンリンクの太さを減じた長さより小さく形成されてなることを特徴とするリンクチェーン用留め具である。
【０００７】
また、本発明は、中空部を有する長円形のチェーンリンクを連結してなるリンクチェーンと留め具とからなる結束具であって、留め具は、開いた環状の胴部と、胴部の両自由端にそれぞれ突出形成された二つの抜け止め部とを備え、胴部は、チェーンリンクの中空部に挿通自在な太さに形成され、二つの抜け止め部は、平板状であって板面が互いに平行になると共に、各抜け止め部の板厚は、チェーンリンクの中空部内を挿通可能な厚さに形成され、抜け止め部の基端は板幅が、チェーンリンクの中空部の幅より十分大きく、かつ、チェーンリンクの中空部の長さからチェーンリンクの太さを減じた長さより小さく形成されていることにより結束されることを特徴とする結束具である。
【０００８】
【発明の実施の形態】
以下、本発明の実施の形態を図示例と共に説明する。
図１は、本発明にかかる結束具の一実施例を示す全体図である。この結束具１は、リンクチェーン２と留め具３とから構成されるものである。
リンクチェーン２は、中空部を有する長円形のチェーンリンクＲを多数連結して構成されている。個々のチェーンリンクＲは、ステンレス製の棒材を長円形に曲げて、長円形の中空部を形成したものである。チェーンリンクＲの材質は、特に限定されないが耐久性の観点から、本実施例ではステンレス製のものとしているが、プラスチック製のものでもよい。
【０００９】
チェーンリンクＲの中空部の大きさ及び形状は、他のチェーンリンクＲを中空部に挿通可能な大きさ及び形状であることが必要である。すなわち、図６において、本発明にかかる結束具は、リンクチェーン２を結束対象物であるブロック片４の四つの角のフック部５の空部に挿通し、端部のチェーンリンク２１を他のチェーンリンク２２の中空部に挿通した後、留め具３を端部のチェーンリンク２１の中空部に挿通することによって、各ブロック片４を結束する。従って、結束するためには、チェーンリンクＲの中空部に他のチェーンリンクが挿通可能であることが必要である。挿通できる程度のものであれば中空部の大きさ及び形状は特に限定されないが、中空部の形状は長円形のものが好適である。
【００１０】
個々のチェーンリンクＲ自体の大きさは、図６における結束対象物であるブロック片４のフック部５の空部の大きさに応じて適宜選択される。すなわち、図６において、本発明にかかる結束具は、リンクチェーン２を各ブロック片４のそれぞれの角のフック部５の空部に挿通し、端部のチェーンリンク２１を他のチェーンリンク２２の中空部に挿通した後、留め具３を端部のチェーンリンク２１の中空部に挿通することによって、各ブロック片４を結束する。従って、結束するためには、まず、フック部５の空部に個々のチェーンリンクＲが挿通可能でなければならないので、個々のチェーンリンクＲの大きさの選択にあたっては、結束対象物のフック部の空部に個々のチェーンリンクＲが挿通できる大きさであることが必要であり、挿通できる程度のものであれば大きさは特に限定されない。
【００１１】
リンクチェーン２は、前述のチェーンリンクＲを多数連結して構成されている。連結されている個々のチェーンリンクＲはそれぞれ同一の大きさ及び形状としている。個々のチェーンリンクの大きさ形状が異なると、結束作業の能率や生産上のコストなどの点で好ましくないので、同一の大きさ及び形状のものを連結することが好適である。連結されるチェーンリンクＲの個数は特に限定されないが、本実施例では２０個のチェーンリンクＲを連結している。
【００１２】
図２は、本発明に係る結束具の留め具３を示す斜視図である。これは図６において、結束対象物である各ブロック片４の四つの角のフック部５の空部にリンクチェーン２を挿通し、端部のチェーンリンク２１を他のチェーンリンク２２の中空部に挿通した後、この留め具３を端部のチェーンリンク２１の中空部に挿通することによって、挿通したチェーンリンク２１がチェーンリンク２２の中空部から抜けることを防止し、結束作業を完了させるためのものである。
【００１３】
図３（ａ）は本発明に係る留め具の平面図を示すものであり、図３（ｂ）は留め具の正面図を、図３（ｃ）は側面図を示すものである。図３（ｂ）に示すように、留め具３は、開いた円環状の胴部３１を有し、胴部３１の両自由端３１０には、抜け止め部３２が形成されている。
開いた円環状の胴部３１は、金属製の棒材を環状に曲げながら、両端を閉塞させずに開口部３３を設けたものである。本実施例では、円環状に形成されているが、円環状に限定されるものではなく、開いた環状であれば他の構成でもよい。図３（ｃ）において、この胴部３１の太さｗ３は、図４（ａ）に示す長円形のチェーンリンクＲの中空部の幅ｗ５よりも小さく形成されているので、胴部３１は、チェーンリンクＲの中空部に挿通自在になっている。
【００１４】
抜け止め部３２は、胴部３１の両自由端３１０に突出して形成されている。抜け止め部３２の形状は特に限定されないが、本実施例では、平板状としている。各抜け止め部３２は、図３（ｂ）に示すように、ｗ２の間隔を隔てて、図３（ａ）に示すように、両板面３２０が略平行になるように、胴部３１の両自由端３１０から突出して形成されている。
開口部３３の幅ｗ２は、チェーンリンクＲの太さｗ６（図４（ａ）参照）よりも大きく形成されているので、留め具３は、留め具３の開口部３３にチェーンリンク２１を挿入することによって、チェーンリンク２１の中空部に挿通することができる。
図３（ｃ）に示すように、各抜け止め部３２の板幅ｄ１は、図４（ａ）のチェーンリンク２１の中空部の幅ｗ５よりも十分大きく形成されており、かつ、チェーンリンクの中空部の長さｄ２からチェーンリンクの太さｗ６を減じた長さより小さく形成されている。また、各抜け止め部３２の板厚ｗ１（図３（ａ）参照）は、チェーンリンク２１の中空部の幅ｗ５よりも小さく形成されているので、チェーンリンク２１の中空部に挿入可能になっている。
【００１５】
次に、本発明に係る結束具１の使用状態を、図６を参照して説明する。この図では、結束対象物はブロック片４であり、四つのブロック片の角部には略円環状のフック部５が設けられている。これら四つのブロック片４を結束するために、まず、リンクチェーン２をブロック片４の各々のフック部５の空部に順次挿通していく。リンクチェーン２がブロック片の四つのフック部５の空部に挿通されたのち、リンクチェーン２の一端部のチェーンリンク２１をリンクチェーン２のチェーンリンク２２の中空部に挿通する。
【００１６】
リンクチェーン２の端部のチェーンリンク２１を、どのチェーンリンクＲの中空部に挿通させるかについては、適宜決めることができ、特定の位置のチェーンリンクに限定されるものではない。すなわち、リンクチェーンの全長や結束具合に応じて選択される。本実施例では、チェーンリンク２２の中空部に挿通している。
ブロック片の設置面に凹凸が存在し、ブロックを配設した結果ブロック間に段差が生じ、フック部５が上下にずれてフック部の空部が一列に円環上に並ばないことがある。このような場合に、通常挿通することを予定しているチェーンリンク２２の中空部に、端部のチェーンリンク２１を挿通することが困難な場合があっても、本結束具によると、他の任意のチェーンリンク、例えば、チェーンリンク２３の中空部に挿通するということが可能である。すなわち、通常挿通することを予定しているチェーンリンク２２ではなく、チェーンリンク２３の中空部に挿通することで、リンクチェーン２全体が画する略円形を大きくすることができ、フック部の空部のずれに臨機応変に対応することが可能である。
このように、本発明に係る結束具によれば、結束作業中に遭遇する施工面の凹凸の存在による段差などの予想外の事態にも機動的に対応することができ、結束作業の中断を生じず、作業の効率化が図ることができる。
他方、結束をより強固にしたい場合には、リンクチェーン２が画する略円形が小さくなるように、通常挿通することを予定しているチェーンリンク２２の中空部ではなく、例えば、チェーンリンク２４の中空部に端部のチェーンリンク２１を挿通するようにするとよい。
【００１７】
端部のチェーンリンク２１をチェーンリンク２２の中空部に挿通した後は、その挿通状態でチェーンリンク２１の中空部に、留め具３を取り付けることになる。図４を参照しながら、留め具３のチェーンリンク２１の中空部への挿通作業について説明する。この作業においては、まず、留め具３の開口部３３にチェーンリンク２１が挿入されるように、一方の抜け止め部３２を、チェーンリンク２１の中空部に挿通する。
図４に示すように、チェーンリンク２１がチェーンリンク２２の中空部に挿入されたことにより、留め具３が挿入されるチェーンリンク２１の中空部の空間はチェーンリンク２２、２５の太さｗ６分だけ長さが狭くなっているが、留め具３の抜け止め部３２の基端の板幅ｄ１（図４（ｂ）参照）は、チェーンリンクの中空部の長さｄ２からチェーンリンクの太さｗ６を減じた長さより小さく形成されている。したがって、チェーンリンク２１をチェーンリンク２２の中空部に挿通した状態で、通常より長さが狭くなったチェーンリンク２１の中空部であっても、留め具３を容易に挿通することができる。
【００１８】
留め具３の挿入は、チェーンリンク２１が留め具３の開口部３３を通過し、留め具３の胴部３１の底部３１１（図３（ｂ）参照）にチェーンリンク２１が接触するまで確実に行う。その後、図４（ｂ）に示すように、円環状の胴部３１の底部３１１と、チェーンリンク２１の頂部Ｒｔとが当接して係止するように留め具３を移動させる。胴部３１の太さｗ３は、チェーンリンク２１の中空部に挿通可能になっているので、この作業はスムーズに行うことができる。
【００１９】
図４（ｂ）に示すように、留め具３をＲｔの地点まで移動させた後は、各抜け止め部３２の板幅ｄ１は、チェーンリンク２１の中空部の幅ｗ５よりも十分長く形成されているので、各抜け止め部３２の基端部３２１がチェーンリンク２１に係止することとなり、抜け止め部３２が、チェーンリンク２１の中空部から脱落することはない。従って、確実に結束状態が維持できる。
【００２０】
留め具３のチェーンリンク２１からの脱落をより確実に防止するために、図４（ｂ）の位置から、図５に示すように、各抜け止め部３２がチェーンリンク２１の長さ方向に対して略平行に位置するように、留め具３を頂部Ｒｔを支点として９０度回転させる。その後、チェーンリンク２２を上方に移動させ、留め具３の胴部３１の底部３１１とチェーンリンク２２を当接させる。
【００２１】
図３（ｂ）に示したように、留め具３の環状胴部の幅ｗ４は、チェーンリンク２１の中空部の幅ｗ５よりも少なくとも長く形成されていることから、例えば、リンクチェーン２の一端部のチェーンリンク２１に力が加わって、チェーンリンク２１が、チェーンリンク２２の中空部から抜け出そうになっても、留め具３の円環状胴部３１の底部３１１とチェーンリンク２２が当接し、留め具３が係止されるので、チェーンリンク２２の中空部に、チェーンリンク２１が挿通されている状態が維持され、結束状態が解かれることはない。したがって、チェーンによるブロック片４の結束状態は確実に維持できる。
【００２２】
尚、本発明の結束具は、上述の図示例にのみ限定されるものではなく、本発明の要旨を逸脱しない範囲内において種々変更を加え得ることは勿論である。上記実施例では、留め具の各抜け止め部の間は開口した状態としているが、両抜け止め部の対向した位置に貫通孔を形成し、この貫通孔同士を閉塞するピンを別途設ける構成としてもよい。
【００２３】
【発明の効果】
以上、説明したように本発明の結束具及び留め具によれば、ネジ止めをする必要がなく、しかも確実に結束対象物を結束することができるので、施工作業の効率化を図ることができる。ブロック設置面の凹凸による段差がある場合でも迅速に対応することが可能であり、作業の中断が生じることもない。
さらに、本発明に係る結束具及び留め具によると、リンクチェーンは折り畳むなどすることによって、嵩張らず、また、留め具も小型軽量のものであり、更に設置の際に溶接機などの設備を必要としないものである。従って、輸送運搬の負担が著しく軽減されるという優れた効果をも奏し得る。
【図面の簡単な説明】
【図１】本発明に係る結束具の実施例を示す全体図である。
【図２】本発明に係る留め具を示す斜視図である。
【図３】（ａ）は本発明に係る留め具の平面図を示すものであり、（ｂ）は留め具の正面図を、（ｃ）は側面図を示すものである。
【図４】本発明に係る留め具のチェーンリンクの中空部への挿通作業を示す図である。
【図５】本発明に係る留め具をチェーンリンクに挿通する作業後の状態を示すものである。
【図６】本発明に係る結束具の使用状態を示す図である。
【図７】緑化用コンクリートブロックの配設状態を示す図である。
【図８】従来の結束具の使用状態を示す図である。
【符号の説明】
１　　　　結束具
２　　　　リンクチェーン
３　　　　留め具
４　　　　ブロック片
５　　　　フック部
６　　　　結束板
２１　　　チェーンリンク
２２　　　チェーンリンク
３１　　　胴部
３２　　　抜け止め部
３３　　　開口部
３１０　　自由端
３１１　　底部
３２０　　板面
３２１　　基端部
ｄ１　　　板幅
Ｒ　　　　チェーンリンク
Ｒｔ　　　頂部
ｗ１　　　板厚
【図１】
2004116134.tif 000003
【図２】
2004116134.tif 000004
【図３】
2004116134.tif 000005
【図４】
2004116134.tif 000006
【図５】
2004116134.tif 000007
【図６】
2004116134.tif 000008
【図７】
2004116134.tif 000009
【図８】
2004116134.tif 000010